(57)【要約】【課題】本体電気接点とメモリ電気接点との摩耗を抑制することができる画像形成装置を提供すること。【解決手段】  画像形成装置１は、本体ケーシング７の開口７Ａを開閉するカバー８と、メモリ電気接点４２を有する現像カートリッジ２Ｋと、現像ローラ５と感光ドラム６Ｋを離間させるために第１方向に現像カートリッジ２Ｋを移動させる離間部材３１と、カバー８に支持されるとともに本体電気接点４８を有するコネクタ４３Ｋとを備える。カバー８が閉位置に位置するときに、本体電気接点４８とメモリ電気接点４２は、電気的に接続される。現像カートリッジは、第１方向と交差する第２方向に向けて突出する突部３５を有する。コネクタは、突部３５と当接可能な当接部６２を有する。【選択図】図１１
2017181884.tif 000002
【特許請求の範囲】
【請求項１】
開口を有する本体ケーシングと、
前記開口を開放する開位置と前記開放を閉鎖する閉位置との間を移動可能なカバーと、
感光ドラムと、
現像ローラと、メモリ電気接点を有する記憶媒体とを備え、前記開口を介して前記本体ケーシングに着脱可能な現像カートリッジと、
前記本体ケーシングに前記現像カートリッジが装着されているときに、前記現像ローラが前記感光ドラムに接触する接触位置と、前記現像ローラが前記感光ドラムから離間する離間位置との間で、第１方向に沿って前記現像カートリッジを移動させるように構成される離間部材と、
前記カバーに支持されるコネクタであって、前記本体ケーシングに前記現像カートリッジが装着され、かつ、前記カバーが前記閉位置に位置するときに、前記メモリ電気接点に電気的に接続される本体電気接点を備えるコネクタと、を備え、
前記コネクタは、前記現像カートリッジが前記離間部材により前記接触位置と前記離間位置との間で移動するときに、前記本体電気接点と前記メモリ電気接点が接続された状態で移動するように構成され、
前記現像カートリッジは、前記第１方向と交差する第２方向に向けて突出する突部を有し、
前記コネクタは、前記カバーが前記閉位置に位置しているときに、前記現像カートリッジの前記突部と当接する当接部を有することを特徴とする画像形成装置。
【請求項２】
前記当接部は、カバー８が閉位置に位置しているときに前記第２方向に凹む凹部を有することを特徴とする、請求項１に記載の画像形成装置。
【請求項３】
前記コネクタは、
前記本体電気接点が位置する第１面と、
前記第２方向において前記第１面と間隔を隔てて位置する第２面と
を備え、
前記第２面に前記凹部が位置することを特徴とする、請求項２に記載の画像形成装置。
【請求項４】
前記コネクタは、前記第１面から第２方向に突出し、前記第１方向に延びる突出部であって、前記本体電気接点と前記メモリ電気接点とが電気的に接続されているときに、前記現像カートリッジに接触する突出部を有し、
前記突部と前記凹部との接触部は、前記第１方向において、前記突出部の両端部の間に位置することを特徴とする、請求項３に記載の画像形成装置。
【請求項５】
前記凹部と前記突部とを近づける方向に向けて付勢する付勢部材を備えることを特徴とする、請求項２ないし４のいずれか一項に記載の画像形成装置。
【請求項６】
前記付勢部材は、前記本体電気接点と前記メモリ電気接点とを近づける方向へ向かう付勢力を発生することを特徴とする、請求項５に記載の画像形成装置。
【請求項７】
前記付勢部材は、前記現像カートリッジに設けられていることを特徴とする、請求項５または６に記載の画像形成装置。
【請求項８】
前記現像カートリッジは、前記突部を有し、前記現像カートリッジに対して揺動可能であり、前記付勢部材に付勢されて位置する第１位置と、前記第１位置から前記付勢部材の付勢力に抗して位置する第２位置との間を移動可能な揺動部材を有し、
前記カバー８が開位置から閉位置へ移動するとき、または、前記カバー８が閉位置から開位置へ移動するときに、前記揺動部材は、前記コネクタによって押圧されることにより、前記第１位置から前記第２位置へ移動することを特徴とする、請求項５〜７のいずれか一項に記載の画像形成装置。
【請求項９】
前記コネクタは、前記第２方向において、前記第１面と前記第２面との間に位置し、前記第２方向に延びる第３面であって、前記第１方向において前記現像カートリッジに向かい合う第３面を備えることを特徴とする、請求項３に記載の画像形成装置。
【発明の詳細な説明】
【技術分野】
【０００１】
本発明は、画像形成装置に関する。
【背景技術】
【０００２】
従来、ドラムカートリッジと、ドラムカートリッジに装着可能な現像カートリッジとを備える画像形成装置が知られている（下記特許文献１参照。）。
【０００３】
ドラムカートリッジは、感光ドラムを備える。現像カートリッジは、現像ローラを備える。現像カートリッジは、ドラムカートリッジに設けられるレバーにより、第１位置と第２位置との間で移動される。第１位置は、現像ローラと感光ドラムとが接触する位置である。第２位置は、現像ローラと感光ドラムとが離れる位置である。
【先行技術文献】
【特許文献】
【０００４】
【特許文献１】特開２０１３−０５４０５８号公報
【発明の概要】
【発明が解決しようとする課題】
【０００５】
特許文献１のような画像形成装置において、現像カートリッジのメモリ電気接点に、画像形成装置の本体電気接点を接触させることが検討される。
【０００６】
しかし、現像カートリッジが移動するときに本体電気接点が移動しないと、メモリ電気接点と本体電気接点とが摩耗するおそれがある。
【０００７】
そこで、本開示の目的は、本体電気接点とメモリ電気接点との摩耗を抑制することができる画像形成装置を提供することにある。
【課題を解決するための手段】
【０００８】
本発明の画像形成装置は、開口を有する本体ケーシングと、カバーと、感光ドラムと、現像カートリッジと、離間部材と、コネクタと、を備える。
【０００９】
カバーは、開口を開放する開位置と前記開放を閉鎖する閉位置との間を移動可能である。現像カートリッジは、現像ローラと、メモリ電気接点を有する記憶媒体とを備える。現像カートリッジは、開口を介して本体ケーシングに着脱可能である。離間部材は、本体ケーシングに現像カートリッジが装着されているときに、現像ローラが感光ドラムに接触する接触位置と、現像ローラが感光ドラムから離間する離間位置との間で、第１方向に沿って現像カートリッジを移動させるように構成される。
【００１０】
コネクタは、カバーに支持される。コネクタは、本体ケーシングに現像カートリッジが装着され、かつ、カバーが閉位置に位置するときに、メモリ電気接点に電気的に接続される本体電気接点を備える。コネクタは、現像カートリッジが離間部材により接触位置と離間位置との間で移動するときに、本体電気接点とカートリッジ電気接点が接続された状態で移動するように構成される。
【００１１】
現像カートリッジは、第１方向と交差する第２方向に向けて突出する突部を有する。コネクタは、カバーが閉位置に位置しているときに、現像カートリッジの突部と当接する当接部を有する。
【００１２】
このような構成によれば、カートリッジは、第２方向に突出する突部を有している。また、コネクタは、突部が当接する当接部を有している。そして、カートリッジは、離間部材によって、第２方向と交差する第１方向において移動される。そのため、カートリッジを第１方向に移動させるときに、突部と当接部とが第２方向に当接していることにより、コネクタを、現像カートリッジとともに移動させることができる。その結果、本体電気接点がメモリ電気接点に電気的に接続された状態で、コネクタをカートリッジとともに移動させることができ、本体電気接点とメモリ電気接点との摩耗を抑制することができる。
【発明の効果】
【００１３】
本発明の画像形成装置は、本体電気接点とメモリ電気接点との摩耗を抑制することができる。
【図面の簡単な説明】
【００１４】
【図１】図１は、本発明の画像形成装置の一実施形態を示す概略構成図である。
【図２】図２は、図１に示す現像カートリッジおよびドラムカートリッジの斜視図である。
【図３】図３は、図２に示す現像カートリッジの斜視図である。
【図４】図４は、図３に示す現像カートリッジを別の方向から見た斜視図である。
【図５】図５は、図４に示す揺動部材を説明するための説明図である。
【図６】図６は、図１に示すカバーの斜視図である。
【図７】図７Ａは、図６に示すコネクタの斜視図である。図７Ｂは、図７Ａに示すコネクタを別の方向から見た斜視図である。
【図８】図８は、コネクタの移動を説明するための説明図である。
【図９】図９は、図８に続き、コネクタの移動を説明するための説明図である。
【図１０】図１０は、図９に続き、コネクタの移動を説明するための説明図である。
【図１１】図１１は、図１０に続き、コネクタの移動を説明するための説明図である。
【図１２】図１２は、現像カートリッジの接離動作を説明するための説明図であって、押圧部材が押圧解除位置に位置し、現像ローラと感光ドラムとが接触した状態を示す。
【図１３】図１３は、現像カートリッジの接離動作を説明するための説明図であって、押圧部材が押圧解除位置に位置し、現像ローラと感光ドラムとが離間した状態を示す。
【発明を実施するための形態】
【００１５】
１．画像形成装置の概略
図１に示すように、画像形成装置１は、画像形成部１００へ用紙を供給する給紙部２００と、給紙部２００から供給された用紙上に画像を形成する画像形成部１００と、画像形成部１００で画像を形成された用紙を排出する排出部３００と、開口７Ａを有するとともに画像形成部１００を収容する本体ケーシング７と、開口７Ａを開閉するカバー８と、を備える。
【００１６】
カバー８は、開口７Ａを開放する開位置と開口７Ａを閉鎖する閉位置との間を移動可能である。カバー８は、本体ケーシング７に回動可能に支持される一端部８Ａと、他端部８Ｂと、を有する。カバー８が閉位置に位置するときの一端部８Ａから他端部８Ｂへ向かう方向を所定方向と定義する。尚、開口７Ａは、本体ケーシング７の上方に形成されている。
【００１７】
画像形成部１００は、複数の現像カートリッジ２Ｋ，２Ｙ，２Ｍ，２Ｃと、複数の感光ドラム６Ｋ，６Ｙ，６Ｍ，６Ｃと、を備える。すなわち、画像形成装置１は、複数の現像カートリッジ２Ｋ，２Ｙ，２Ｍ，２Ｃと、複数の感光ドラム６Ｋ，６Ｙ，６Ｍ，６Ｃと、を備える。
【００１８】
複数の現像カートリッジ２Ｋ，２Ｙ，２Ｍ，２Ｃは、それぞれ、収容される現像剤の色が異なる以外、同じ構造を有する。そこで、以下の説明において、現像カートリッジ２Ｋの構造について詳細に説明し、現像カートリッジ２Ｙ、２Ｍ，２Ｃについて、現像カートリッジ２Ｋと同じ構造についての説明を省略する。現像カートリッジ２Ｋは、筐体４と、現像ローラ５とを備える。筐体４は、現像剤を収容可能である。筐体４は、中空の角筒形状を有する。現像ローラ５は、軸方向に延びる軸について回転可能である。軸方向は、所定方向と直交する。現像ローラ５は、筐体４の一端部に位置する。現像ローラ５は、円柱形状を有する。現像ローラ５の周面の一部は、筐体４の外側に露出している。
【００１９】
複数の感光ドラム６Ｋ，６Ｙ，６Ｍ，６Ｃは、対応する現像カートリッジ２Ｋ，２Ｙ，２Ｍ，２Ｃが異なる以外、同じ構造を有する。そこで、以下の説明において、感光ドラム６Ｋの構造について詳細に説明し、感光ドラム６Ｙ，６Ｍ，６Ｃについて、感光ドラム６Ｋと同じ構造についての説明を省略する。感光ドラム６Ｋは、軸方向に延びる軸について回転可能である。感光ドラム６Ｋは、ドラムカートリッジ３Ｋに設けられている。ドラムカートリッジ３Ｋには、現像カートリッジ２Ｋが装着可能である。感光ドラム６Ｋには、現像カートリッジ２Ｋがドラムカートリッジ３Ｋに装着されたときに、現像カートリッジ２Ｋの現像ローラ５が接触する。
【００２０】
現像カートリッジ２Ｋとドラムカートリッジ３Ｋは、カバー８が開位置に位置するときに、開口７Ａを介して、本体ケーシング７に着脱可能である。
【００２１】
２．離間部材
図２に示すように、ドラムカートリッジ３Ｋは、さらに、離間部材３１を備える。すなわち、画像形成装置１は、離間部材３１を備える。
【００２２】
離間部材３１は、現像カートリッジ２Ｋを、現像ローラ５が感光ドラム６Ｋから離間する方向へ押圧するための部材である。離間部材３１は、軸方向において、ドラムカートリッジ３Ｋの側面に位置する。離間部材３１は、ドラムカートリッジ３Ｋに回転可能に支持される。離間部材３１は、現像カートリッジ２Ｋがドラムカートリッジ３Ｋに装着されたときに、後述するギアカバー１３に向かい合う。離間部材３１は、本体ケーシング７に設けられる駆動源からの駆動力により回転し、後述するギアカバー１３を、第１方向において、現像ローラ５が感光ドラム６Ｋから離間する方向へ押圧する。
【００２３】
これにより、現像カートリッジ２Ｋは、離間部材３１に押圧されることにより、第１方向において、接触位置（図１２参照）から離間位置（図１３参照）へ移動される。第１方向は、軸方向と直交する。また、現像カートリッジ２Ｋは、離間部材３１からの押圧が解除されることにより、第１方向において、離間位置（図１３参照）から接触位置（図１２参照）へ移動される。接触位置は、現像ローラ５と感光ドラム６Ｋとが接触する位置である。離間位置は、現像ローラ５と感光ドラム６Ｋとが離間する位置である。
【００２４】
言い換えると、離間部材３１は、本体ケーシング７に現像カートリッジ２Ｋが装着されているときに、現像ローラ５が感光ドラム６Ｋに接触する接触位置と、現像ローラ５が感光ドラム６Ｋから離間する離間位置との間で、第１方向に沿って現像カートリッジ２Ｋを移動させるように構成される。
【００２５】
３．現像カートリッジの詳細
図３，図４および図５に示すように、現像カートリッジ２Ｋは、さらに、カップリング１２と、ギアカバー１３と、メモリ電気接点４２を有する記憶媒体４１と、揺動部材３２と、付勢部材３３と、を備える。
【００２６】
３．１  カップリング
カップリング１２は、第１方向において、現像ローラ５の他方側に位置する。カップリング１２は、軸方向において、筐体４の側面に位置する。カップリング１２は、軸方向に延びる。カップリング１２は、円柱形状である。カップリング１２は、軸方向に延びる軸について回転可能である。カップリング１２には、現像カートリッジ２Ｋが本体ケーシング７に装着されたときに、本体ケーシング７に設けられる駆動源から駆動力を受ける。カップリング１２が受けた駆動力は、図示しないギア列を介して、現像ローラ５に伝達される。これにより、現像ローラ５が回転する。
【００２７】
３．２  ギアカバー
ギアカバー１３は、軸方向において、筐体４の側面に取り付けられる。ギアカバー１３は、図示しないギア列を被覆する。なお、カップリング１２は、ギアカバー１３から露出する。ギアカバー１３は、第１方向において、一端部と、他端部とを有する。他端部は、第１方向において、一端部よりも現像ローラ５から遠くに位置する。ギアカバー１３は、第１外面１３Ａと、第２外面１３Ｂと、第３外面１３Ｃと、開口１３Ｄと、凹部１３Ｅとを有する。
【００２８】
第１外面１３Ａおよび第２外面１３Ｂは、ギアカバー１３の他端部に位置する。第１外面１３Ａおよび第２外面１３Ｂは、第２方向を向いている。第２外面１３Ｂは、第１方向と交差する第２方向において、第１外面１３Ａの反対側に位置する。なお、詳しくは、第２方向は、第１方向と直交する。第１外面１３Ａと第２外面１３Ｂとは、第１方向に延びる。
【００２９】
第３外面１３Ｃは、ギアカバー１３の他端部に位置する。第３外面１３Ｃは、第１方向を向いている。第３外面１３Ｃは、第２方向において、第１外面１３Ａと第２外面１３Ｂとの間に位置する。第３外面１３Ｃは、第２方向に延びる。
【００３０】
開口１３Ｄは、第２外面１３Ｂに位置する。開口１３Ｄは、第２外面１３Ｂを第２方向に貫通する。
【００３１】
凹部１３Ｅは、第１外面１３Ａに位置する。凹部１３Ｅは、第１方向において、記憶媒体４１よりも現像ローラ５の近くに位置する。凹部１３Ｅは、第２方向において、第１外面１３Ａから第２外面１３Ｂに向かって凹む。凹部１３Ｅは、後述する２つの突起６０（図７Ａ参照）を受け容れ可能である。
【００３２】
３．３  記憶媒体
記憶媒体４１は、ギアカバー１３の第１外面１３Ａに位置する。記憶媒体４１は、第１方向において、ギアカバー１３の第３外面１３Ｃよりも現像ローラ５の近くに位置する。記憶媒体４１は、第１方向において、カップリング１２に対して現像ローラ５の反対側に位置する。記憶媒体４１は、第１方向に延びる。記憶媒体４１は、その表面にメモリ電気接点４２とを備える。記憶媒体４１は、現像カートリッジ２Ｋに関する情報を記憶する。現像カートリッジ２Ｋに関する情報は、例えば、現像カートリッジ２Ｋが収容する現像剤の色に関する情報、現像カートリッジ２Ｋが新品であるから旧品であるかに関する情報、現像カートリッジ２Ｋが印刷可能な用紙の枚数に関する情報などである。より具体的には、現像カートリッジ２Ｋが新品である場合、記憶媒体４１は、現像カートリッジ２Ｋがブラックの現像剤を収容しているという情報、現像カートリッジ２Ｋが新品であるという情報、および、現像カートリッジ２Ｋが印刷可能な用紙の枚数が、６０００枚であるという情報を記憶している。
【００３３】
３．４  揺動部材
揺動部材３２は、図５に示すように、第１方向に延びる。揺動部材３２は、第１方向において、一端部と、一端部に対して離れて位置する他端部とを有する。揺動部材３２は、付勢部材３３に付勢されて位置する第１位置（図８参照）と、付勢部材３３の付勢力に抗して位置する第２位置（図１０参照）との間を移動可能である。揺動部材３２は、回転軸３４と、突部３５とを備える。すなわち、現像カートリッジ２Ｋは、突部３５を備える。
【００３４】
回転軸３４は、揺動部材３２の一端部に位置する。回転軸３４は、ギアカバー１３に回転可能に支持される。これにより、揺動部材３２は、現像カートリッジ２Ｋに対して、回転軸３４について、第１位置と第２位置との間を揺動可能である。
【００３５】
突部３５は、コネクタ４３Ｋの当接部６２（図７Ａ参照）と当接可能である。突部３５は、揺動部材３２の他端部に位置する。すなわち、突部３５は、後述するカバー８が開位置から閉位置へ移動する方向において、揺動部材３２の上流側の端部に位置する。突部３５は、ギアカバー１３の開口１３Ｄから露出する。突部３５は、第２方向において、開口１３Ｄから突出する。突部３５は、第２傾斜面３５Ａを有する。第２傾斜面３５Ａは、第２方向において、突部３５が突出する方向へ向かうにつれて、現像ローラ５から遠ざかるように傾斜する。
【００３６】
３．５  付勢部材
付勢部材３３は、ギアカバー１３に支持される。付勢部材３３は、コイルばねである。付勢部材３３は、回転軸３４の周りに位置する。付勢部材３３は、一端がギアカバー１３に当接し、他端が揺動部材３２に当接する。これにより、付勢部材３３は、第２方向において、揺動部材３２を、第１位置に向かって付勢する。また、付勢部材３３は、第２方向において、突部３５を、後述する当接部６２に近づける方向へ向かって付勢する。
【００３７】
４．画像形成装置の詳細
画像形成装置１は、図６に示すように、さらに、複数のコネクタ４３Ｋ，４３Ｙ，４３Ｍ，４３Ｃと、複数のホルダ４４Ｋ，４４Ｙ，４４Ｍ，４４Ｃと、複数の押圧部材６１Ｋ，６１Ｙ，６１Ｍ，６１Ｃ（図８参照）と、を備える。
【００３８】
４．１  コネクタ
コネクタ４３Ｋ，４３Ｙ，４３Ｍ，４３Ｃは、それぞれ、接続される現像カートリッジが異なる以外、同じ構造を有する。そこで、以下の説明において、コネクタ４３Ｋの構造について詳細に説明し、コネクタ４３Ｙ，４３Ｍ，４３Ｃについて、コネクタ４３Ｋと同じ構造についての説明を省略する。
【００３９】
コネクタ４３Ｋは、本体ケーシング７に設けられる回路基板と現像カートリッジ２Ｋの記憶媒体４１とを電気的に接続するためのものである。コネクタ４３Ｋは、図７Ａおよび図７Ｂに示すように、第１部分４５、第２部分４６、第３部分４７、本体電気接点４８、および、複数のボス４９を備える。
【００４０】
４．１．１  第１部分
第１部分４５は、第１方向に延びる。第１部分４５は、第２方向において、第２部分４６に向かい合う第１面４５Ａを有する。すなわち、コネクタ４３Ｋは、第１面４５Ａを有する。第１面４５Ａは、カバー８が閉位置に位置するときに、第２方向において、ギアカバー１３の第１外面１３Ａ（図３参照）に向かい合う。第１部分４５は、２つの突出部６６と、２つの突起６０とを有する。すなわち、コネクタ４３Ｋは、２つの突出部６６を有する。
【００４１】
２つの突出部６６は、軸方向において、互いに間隔を隔てている。２つの突出部６６は、それぞれ、第２方向において、第１面４５Ａから第２面４６Ａに向かって突出する。２つの突出部６６は、それぞれ、第１方向に延びる。
【００４２】
２つの突起６０は、第１面４５Ａに位置する。２つの突起６０は、第１方向において、本体電気接点４８に対して、第３部分４７の反対側に位置する。２つの突起６０は、第１方向において、第１部分４５の端部に位置する。２つの突起６０は、軸方向において、互いに間隔を隔てて位置する。軸方向において、２つの突出部６６は、２つの突起６０の間に位置する。２つの突起６０は、それぞれ、第２方向において、第１面４５Ａから第２部分４６へ向かって突出する。２つの突起６０は、それぞれ、第２方向において、本体電気接点４８よりも突出する。すなわち、２つの突起６０のそれぞれの突出長さは、本体電気接点４８の突出長さよりも長い。２つの突起６０は、ギアカバー１３の凹部１３Ｅ（図３参照）に嵌まる。
【００４３】
４．１．２  第２部分
第２部分４６は、第２方向において、第１部分４５と間隔を隔てて位置する。第２部分４６は、第１方向に延びる。第２部分４６は、第２方向において、第１部分４５に向かい合う第２面４６Ａを有する。すなわち、コネクタ４３Ｋは、第２面４６Ａを有する。第２面４６Ａは、第２方向において、第１面４５Ａと間隔を隔てて位置する。第２面４６Ａは、カバー８が閉位置に位置するときに、第２方向において、ギアカバー１３の第２外面１３Ｂ（図４参照）に向かい合う。
【００４４】
第２部分４６は、当接部６２を有する。すなわち、コネクタ４３Ｋは、当接部６２を有する。当接部６２は、現像カートリッジ２Ｋの突部３５（図４参照）と当接可能である。当接部６２は、第２面４６Ａに位置する。当接部６２は、凹部である。当接部６２は、カバー８が閉位置に位置しているときに、第２方向において、第１面４５Ａから離れる方向に凹む。当接部６２は、第１傾斜面６２Ａを有する。第１傾斜面６２Ａは、突部３５を介して、付勢部材３３の付勢力を受ける面である。第１傾斜面６２Ａは、第２方向において、第１面４５Ａへ向かうにつれて、第３部分４７から遠ざかるように傾斜する。また、第１傾斜面６２Ａは、後述するカバー８が開位置から閉位置へ移動する方向における下流側に向かうにつれて、第１面４５Ａに向かって傾斜する。第１傾斜面６２Ａは、第２方向に対して、第２傾斜面３５Ａ（図１１参照）よりも傾斜する。
【００４５】
４．１．３  第３部分
第３部分４７は、第２方向において、第１部分４５と第２部分４６との間に位置する。第３部分４７は、第２方向に延びる。第３部分４７は、第１部分４５および第２部分４６に連続する。第３部分４７は、第２方向に延びる第３面４７Ａを有する。第３面４７Ａは、第２方向において、第１面４５Ａと第２面４６Ａとの間に位置する。第３面４７Ａは、カバー８が閉位置に位置するときに、第１方向において、ギアカバー１３の第３外面１３Ｃ（図４参照）に向かい合う。
【００４６】
４．１．４  本体電気接点
本体電気接点４８は、第１部分４５に支持される。本体電気接点４８は、第１部分４５の２つの突出部６６の間に位置する。本体電気接点４８は、第２方向において、第１面４５Ａから、２つの突起６０と同じ方向へ向かって突出する。すなわち、本体電気接点４８は、第１面４５Ａに位置する。本体電気接点４８は、第２方向において、２つの突出部６６よりも突出する。
【００４７】
４．１．５  複数のボス
複数のボス４９は、軸方向において、コネクタ４３Ｋの外面から突出する。複数のボス４９は、軸方向において、コネクタ４３Ｋの一方側の外面に１つ、コネクタ４３Ｋの他方側の外面に２つ、設けられる。
【００４８】
４．２  ホルダ
ホルダ４４Ｋ，４４Ｙ，４４Ｍ，４４Ｃは、それぞれ、支持するコネクタが異なる以外、同じ構造を有する。そこで、以下の説明において、ホルダ４４Ｋの構造について詳細に説明し、ホルダ４４Ｙ，４４Ｍ，４４Ｃについて、ホルダ４４Ｋと同じ構造についての説明を省略する。
【００４９】
ホルダ４４Ｋは、コネクタ４３Ｋを支持する。ホルダ４４Ｋは、カバー８に支持される。詳しくは、カバー８は、開口５０（図６参照）を有する。ホルダ４４Ｋは、開口５０に挿入されている。これにより、コネクタ４３Ｋは、ホルダ４４Ｋを介して、カバー８に支持される。ホルダ４４Ｋは、筒部５１と、突出部５３と、複数の長穴５２とを有する。
【００５０】
筒部５１は、第１方向に延びる。筒部５１は、角筒形状を有する。詳しくは、筒部５１は、開口５４を有する。開口５４は、筒部５１を第１方向に貫通する。開口５４内には、コネクタ４３Ｋの第３部分４７が位置する。筒部５１は、カバー８の複数の開口５０（図６参照）のうちの１つに挿通されている。筒部５１は、軸方向および第１方向において、開口５０の内周面との間に間隔を有する。これにより、ホルダ４４Ｋは、カバー８に対して、軸方向および第１方向に移動可能である。
【００５１】
突出部５３は、筒部５１の外周面から、軸方向および第１方向に突出する。突出部５３は、カバー８の開口５０の縁に接触している。これにより、ホルダ４４Ｋは、カバー８に支持される。
【００５２】
複数の長穴５２は、軸方向において、ホルダ４４Ｋの周壁に位置する。複数の長穴５２は、軸方向において、ホルダ４４Ｋの周壁を貫通する。複数の長穴５２は、軸方向において、一方側の周壁に１つ、他方側の周壁に２つ、設けられる。複数の長穴５２は、第１方向に延びる。複数の長穴５２のそれぞれには、複数のボス４９の１つが嵌まっている。これにより、コネクタ４３Ｋは、ホルダ４４Ｋに対して、第１方向に移動可能である。
【００５３】
４．３  コネクタの移動
コネクタ４３Ｋ，４３Ｙ，４３Ｍ，４３Ｃは、カバー８の移動に伴って、移動可能である。カバー８の閉位置は、本体電気接点４８がメモリ電気接点４２に電気的に接続される位置である。カバー８の開位置は、本体電気接点４８とメモリ電気接点４２との電気的な接続が解除される位置である。
【００５４】
４．４．押圧部材
図８に示すように、押圧部材６１Ｋ，６１Ｙ，６１Ｍ，６１Ｃは、それぞれ、同じ構造を有する。そこで、以下の説明において、押圧部材６１Ｋの構造について詳細に説明し、押圧部材６１Ｙ，６１Ｍ，６１Ｃについて、押圧部材６１Ｋと同じ構造についての説明を省略する。
【００５５】
押圧部材６１Ｋは、ホルダ４４Ｋの筒部５１（図７Ａ参照）に、回転可能に支持される。押圧部材６１Ｋは、押圧位置（図１１参照）と、押圧解除位置（図１２参照）との間を移動可能である。押圧部材６１Ｋは、押圧位置に位置するとき、コネクタ４３Ｋを、カバー８が開位置から閉位置へ移動する方向へ押圧する。また、押圧部材６１Ｋは、押圧解除位置に位置するとき、コネクタ４３Ｋの第３部分４７から離間し、コネクタ４３Ｋに対する押圧を解除する。
【００５６】
５．コネクタと記憶媒体との接続
以下、図８から図１１を参照して、コネクタと記憶媒体との接続について説明する。なお、以下の説明において、コネクタ４３Ｋと現像カートリッジ２Ｋの記憶媒体４１との接続について詳細に説明する。
【００５７】
図８に示すように、カバー８が開位置に位置するときには、押圧部材６１Ｋは、押圧位置に位置する。これにより、コネクタ４３Ｋは、押圧部材６１Ｋによって、カバー８が開位置から閉位置へ移動する方向に押圧されている。そして、コネクタ４３Ｋは、押圧部材６１Ｋによって押圧された状態で、カバー８の開位置から閉位置への移動に伴って、移動する。
【００５８】
すると、図９に示すように、コネクタ４３Ｋは、ギアカバー１３の他端部に接触する。詳しくは、コネクタ４３Ｋの２つの突起６０は、ギアカバー１３の第１外面１３Ａに接触する。なお、このとき、メモリ電気接点４２は、軸方向において、２つの突起６０の間に位置する。また、本体電気接点４８は、第２方向において、メモリ電気接点４２と間隔を隔てている。また、コネクタ４３Ｋの第２部分４６の端部は、揺動部材３２の突部３５に接触する。
【００５９】
次いで、図１０に示すように、カバー８が、さらに閉位置へ向かって移動する。このとき、コネクタ４３Ｋの第２部分４６の端部は、コネクタ４３Ｋの移動に伴って、第１位置に位置する揺動部材３２の突部３５を、第２方向に押圧する。揺動部材３２は、突部３５によって押圧されることにより、付勢部材３３の付勢力に抗して、ギアカバー１３の開口１３Ｄ内に退避し、第２位置に位置する。すなわち、カバー８の開位置から閉位置へ移動するときに、揺動部材３２は、コネクタ４３Ｋによって押圧されることにより、第１位置から第２位置へ移動する。なお、カバー８が閉位置から開位置へ移動するときにも、揺動部材３２は、コネクタ４３Ｋによって押圧されることにより、第１位置から第２位置へ移動する。そして、カバー８が、さらに閉位置へ向かって移動する。このとき、揺動部材３２の突部３５の頂部Ｐが、第２部分４６の第１傾斜面６２Ａに接触する。すると、揺動部材３２の突部３５は、付勢部材３３の付勢力により、第１傾斜面６２Ａを押圧する。これにより、コネクタ４３Ｋは、突部３５が第１傾斜面６２Ａを押圧することにより、カバー８が開位置から閉位置へ移動する方向に引っ張られる。
【００６０】
そして、図１１に示すように、カバー８が閉位置に位置する。このとき、コネクタ４３Ｋの第３面４７Ａが、ギアカバー１３の第３外面１３Ｃに接触する。このとき、２つの突起６０は、ギアカバー１３の凹部１３Ｅ内に受け容れられる。すると、コネクタ４３Ｋは、突部３５が第１傾斜面６２Ａを押圧することにより、第２方向に移動する。すなわち、当接部６２は、カバー８が閉位置に位置しているときに、突部３５と当接し、突部３５によって押圧される。これにより、本体電気接点４８は、第２方向においてメモリ電気接点４２に近接し、メモリ電気接点４２に接触する。これにより、本体ケーシング７に現像カートリッジ２Ｋが装着され、かつ、カバー８が閉位置に位置するときに、本体電気接点４８は、メモリ電気接点４２と電気的に接続される。このように、付勢部材３３の付勢力により、本体電気接点４８は、メモリ電気接点４２に近づく。言い換えると、付勢部材３３は、本体電気接点４８とメモリ電気接点４２とを近づける方向へ向かう付勢力を発生させる。
【００６１】
また、２つの突出部６６（図７Ａ）は、第２方向において第１外面１３Ａ（図３参照）に近接し、第１外面１３Ａに接触する。すなわち、２つの突出部６６は、本体電気接点４８とメモリ電気接点４２とが電気的に接続されているときに、現像カートリッジ２Ｋと接触する。突部３５の頂部Ｐは、カバー８が開位置から閉位置へ移動する方向において、突出部６６の両端部Ｅの間に位置する。言い換えると、突部３５と当接部６２との接触部は、第１方向において、突出部６６の両端部Ｅの間に位置する。これにより、コネクタ４３Ｋは、突部３５が第１傾斜面６２Ａに接触し、２つの突出部６６が第１外面１３Ａに接触し、突部３５が第１傾斜面６２Ａを押圧することにより、第２方向において、ギアカバー１３の端部に対して位置固定される。
【００６２】
また、カバー８が閉位置に位置した状態で、突部３５は、第１傾斜面６２Ａに接触している。これにより、コネクタ４３Ｋは、第３面４７Ａがギアカバー１３の第３外面１３Ｃに接触した状態で、常に、カバー８が開位置から閉位置へ移動する方向に引っ張られる。これにより、コネクタ４３Ｋは、カバー８が開位置から閉位置へ移動する方向において、ギアカバー１３の他端部に対して位置固定される。
【００６３】
カバー８が閉位置に位置した後、図１２に示すように、押圧部材６１Ｋは、押圧位置から押圧解除位置へ移動し、コネクタ４３Ｋに対する押圧を解除する。これにより、コネクタ４３Ｋは、第１方向において移動可能となる。画像形成動作の合間など、所定のタイミングで、離間部材３１は、現像カートリッジ２Ｋを、第１方向において、現像ローラ５が感光ドラム６Ｋから離れる方向へ押圧する。
【００６４】
すると、図１３に示すように、現像カートリッジ２Ｋは、離間部材３１により、離間位置に位置される。現像ローラ５は、感光ドラム６Ｋから離間する。
【００６５】
このとき、コネクタ４３Ｋは、ギアカバー１３の第３外面１３Ｃによって、現像ローラ５が感光ドラム６Ｋから離間する方向へ押圧される。
【００６６】
すると、コネクタ４３Ｋは、第１方向において移動可能であり、かつ、ギアカバー１３の他端部に対して位置固定されていることにより、本体電気接点４８がメモリ電気接点４２に電気的に接続された状態で、現像カートリッジ２Ｋとともに移動する。
【００６７】
このように、コネクタ４３Ｋは、現像カートリッジ２Ｋが離間部材３１により接触位置と離間位置との間で移動するときに、本体電気接点４８とメモリ電気接点４２が接続された状態で移動する。
【００６８】
８．作用効果
この画像形成装置１によれば、図１１に示すように、現像カートリッジ２Ｋは、第２方向に突出する突部３５を有している。また、コネクタ４３Ｋは、突部３５が当接する当接部６２を有している。そして、現像カートリッジ２Ｋは、離間部材３１によって、第２方向と交差する第１方向において、接触位置から離間位置へ移動される。
【００６９】
そのため、現像カートリッジ２Ｋを第１方向に移動させるときに、突部３５と当接部６２とが第２方向に当接していることにより、コネクタ４３Ｋを、現像カートリッジ２Ｋとともに移動させることができる。
【００７０】
その結果、本体電気接点４８がメモリ電気接点４２に電気的に接続された状態で、コネクタ４３Ｋを現像カートリッジ２Ｋとともに移動させることができ、本体電気接点４８とメモリ電気接点４２との摩耗を抑制することができる。
【００７１】
また、図１０に示すように、カバー８を開位置から閉位置へ移動させるとき、または、カバー８を閉位置から開位置へ移動させるときに、突部３５を有する揺動部材３２は、付勢部材３３の付勢力に抗して、第１位置から第２位置に移動し、開口１３Ｄ内に退避する。これにより、現像カートリッジ２Ｋが突部３５を有する構成において、コネクタ４３Ｋを、開位置と閉位置との間で円滑に移動させることができる。
【００７２】
また、図１１に示すように、カバー８が閉位置に位置した状態で、コネクタ４３Ｋは、第３面４７Ａがギアカバー１３の第３外面１３Ｃに接触している。また、突部３５が第１傾斜面６２Ａを押圧することにより、コネクタ４３Ｋは、常に、カバー８が開位置から閉位置へ移動する方向に引っ張られる。これにより、コネクタ４３Ｋは、カバー８が開位置から閉位置へ移動する方向において、ギアカバー１３の端部に対して位置固定される。その結果、本体電気接点４８がメモリ電気接点４２に電気的に接続された状態で、コネクタ４３Ｋを、確実に、現像カートリッジ２Ｋとともに移動させることができる。
【符号の説明】
【００７３】
１      画像形成装置
２Ｃ    現像カートリッジ
２Ｋ    現像カートリッジ
２Ｍ    現像カートリッジ
２Ｙ    現像カートリッジ
５      現像ローラ
６Ｃ    感光ドラム
６Ｋ    感光ドラム
６Ｍ    感光ドラム
６Ｙ    感光ドラム
７      本体ケーシング
７Ａ    開口
８      カバー
３１    離間部材
３２    揺動部材
３３    付勢部材
３５    突部
４２    メモリ電気接点
４３Ｃ  コネクタ
４３Ｋ  コネクタ
４３Ｍ  コネクタ
４３Ｙ  コネクタ
４５Ａ  第１面
４６Ａ  第２面
４７Ａ  第３面
４８    本体電気接点
６２    当接部
６６    突出部
Ｅ      両端部
Ｐ      頂部
【図１】
2017181884.tif 000003
【図２】
2017181884.tif 000004
【図３】
2017181884.tif 000005
【図４】
2017181884.tif 000006
【図５】
2017181884.tif 000007
【図６】
2017181884.tif 000008
【図７】
2017181884.tif 000009
【図８】
2017181884.tif 000010
【図９】
2017181884.tif 000011
【図１０】
2017181884.tif 000012
【図１１】
2017181884.tif 000013
【図１２】
2017181884.tif 000014
【図１３】
2017181884.tif 000015